(57)【要約】【課題】給紙装置本体を取り外すことなく、給紙装置本体内部に配置された搬送部材を脱着することができる給紙装置を提供する。【解決手段】給紙装置は、記録媒体を載置する載置部と、前記載置部に載置された記録媒体の搬送方向先端に接触する部分を有し、前記搬送方向に交差するように設けられた壁と、前記壁に対し前記搬送方向の下流側に設けられ、記録媒体を搬送する搬送部材と、を有し、  前記壁は、前記搬送部材を前記載置部側から取り出せる開口部が形成できるように、開閉自在な開閉部を有する。【選択図】図６
2016094260.tif 000002
【特許請求の範囲】
【請求項１】
記録媒体を載置する載置部と、
前記載置部に載置された記録媒体の搬送方向先端に接触する部分を有し、前記搬送方向に交差するように設けられた壁と、
前記壁に対し前記搬送方向の下流側に設けられ、記録媒体を搬送する搬送部材と、を有し、
前記壁は、前記搬送部材を前記載置部側から取り出せる開口部が形成できるように、開閉自在な開閉部を有する
給紙装置。
【請求項２】
前記開閉部は、前記壁の下方に設けられた軸を中心として当該開閉部が回転可能に支持されている請求項１記載の給紙装置。
【請求項３】
前記開口部を閉鎖する方向に前記開閉部に付勢する付勢部を有し、前記開閉部は、付勢に抗して回転可能である請求項２に記載の給紙装置。
【請求項４】
前記開閉部は、前記載置部に向け回転可能に支持されている請求項２又は３に記載の給紙装置。
【請求項５】
前記搬送部材は、前記載置部に載置された記録媒体を捌く捌きロールであることを特徴とする請求項１に記載の給紙装置。
【請求項６】
前記開閉部の上端に溝が形成されている請求項１乃至５いずれか記載の給紙装置。
【請求項７】
前記溝は、前記開閉部の長手方向において前記給紙装置の操作部側に形成されている請求項６記載の給紙装置。
【請求項８】
前記開口部は、前記搬送部材の軸方向の最長長さよりも、当該軸方向と平行な方向において大きい範囲で開口して形成される請求項１乃至７いずれか記載の給紙装置。
【発明の詳細な説明】
【技術分野】
【０００１】
本発明は、給紙装置に関する。
【背景技術】
【０００２】
特許文献１には、画像形成装置本体の内部に装着された装着位置および外部に移動した外部位置との間で移動可能な給紙ユニット本体と、この給紙ユニット本体に着脱可能且つ回転軸回りに回動可能に装着されるロールユニットとにより構成した給紙装置であって、ロールユニットを給紙ユニット本体から取り外すことによりロールユニットの構成要素に対するメンテナンス作業を行う構成が記載されている。
【先行技術文献】
【特許文献】
【０００３】
【特許文献１】特開２０００−２２９７３７号公報
【発明の概要】
【発明が解決しようとする課題】
【０００４】
本発明は、給紙装置本体を取り外すことなく、給紙装置本体内部に配置された搬送部材を脱着することができる給紙装置を提供することを目的とする。
【課題を解決するための手段】
【０００５】
請求項１に係る本発明は、記録媒体を載置する載置部と、前記載置部に載置された記録媒体の搬送方向先端に接触する部分を有し、前記搬送方向に交差するように設けられた壁と、前記壁に対し前記搬送方向の下流側に設けられ、記録媒体を搬送する搬送部材と、を有し、前記壁は、前記搬送部材を前記載置部側から取り出せる開口部が形成できるように、開閉自在な開閉部を有する給紙装置である。
【０００６】
請求項２に係る本発明は、前記開閉部は、前記壁の下方に設けられた軸を中心として当該開閉部が回転可能に支持されている請求項１記載の給紙装置である。
【０００７】
請求項３に係る本発明は、前記開口部を閉鎖する方向に前記開閉部に付勢する付勢部を有し、前記開閉部は、付勢に抗して回転可能である請求項２に記載の給紙装置である。
【０００８】
請求項４に係る本発明は、前記開閉部は、前記載置部に向け回転可能に支持されている請求項２又は３に記載の給紙装置である。
【０００９】
請求項５に係る本発明は、前記搬送部材は、前記載置部に載置された記録媒体を捌く捌きロールであることを特徴とする請求項１に記載の給紙装置である。
【００１０】
請求項６に係る本発明は、前記開閉部の上端に溝が形成されている請求項１乃至５いずれか記載の給紙装置である。
【００１１】
請求項７に係る本発明は、前記溝は、前記開閉部の長手方向において前記給紙装置の操作部側に形成されている請求項６記載の給紙装置である。
【００１２】
請求項８に係る本発明は、前記開口部は、前記搬送部材の軸方向の最長長さよりも、当該軸方向と平行な方向において大きい範囲で開口して形成される請求項１乃至７いずれか記載の給紙装置である。
【発明の効果】
【００１３】
請求項１に係る本発明によれば、給紙装置本体を取り外すことなく、給紙装置本体内部に配置された搬送部材を脱着することができる。
【００１４】
請求項２に係る本発明によれば、請求項１に係る発明の効果に加え、横方向に開閉する場合と比較して、作業幅を小さくすることができる。
【００１５】
請求項３に係る本発明によれば、請求項２に係る発明の効果に加え、付勢部を用いない場合と比較して、開閉部を容易に閉じることができる。
【００１６】
請求項４に係る本発明によれば、請求項２又は３に係る発明の効果に加え、搬送部材と壁の距離を開閉部の開閉動作に制約される事なく設定することができる。
【００１７】
請求項５に係る本発明によれば、請求項１に係る発明の効果に加え、交換が頻度が比較的多い部品を容易に交換することができる。
【００１８】
請求項６に係る本発明によれば、請求項１乃至５いずれかに記載の発明の効果に加え、部品を用いて開閉部を開閉する場合と比較して、開閉に必要な部品を少なくすることができる。
【００１９】
請求項７に係る本発明によれば、請求項６に係る発明の効果に加え、操作をしやすくすることができる。
【００２０】
請求項８に係る本発明によれば、請求項１乃至７いずれか記載の発明の効果に加え、搬送部材の脱着作業が行いやすくすることができる。
【図面の簡単な説明】
【００２１】
【図１】本発明の一実施形態に係る画像形成装置の全体構成図である。
【図２】本発明の一実施形態に係る給紙装置本体を示す斜視図である。
【図３】本発明の一実施形態に係る給紙装置本体の概略構成を示す図である。
【図４】本発明の一実施形態に係る載置部を示す斜視図である。
【図５】本発明の一実施形態に係る載置部を示す斜視図であって、（Ａ）は、開閉部が閉鎖された状態（通常位置）を示し、（Ｂ）は、開閉部が開口された状態（交換位置）を示す。
【図６】本発明の一実施形態に係る給紙装置本体を示す斜視図である。
【図７】図６の搬送部材周辺の要部拡大図である。
【図８】本発明の一実施形態に係る搬送部材と開閉部との関係を説明するための図である。
【図９】本発明の一実施形態に係る搬送部材の取り出しを説明するための図である。
【発明を実施するための形態】
【００２２】
次に、本発明を実施するための一形態を図面を参照して説明する。
図１には、本実施形態に係る画像形成装置１００が示されている。画像形成装置１００は、画像形成装置本体５８を有し、この画像形成装置本体５８内には、例えばパーソナルコンピュータ等の外部装置から入力された画像信号に基づき画像を形成する不図示の画像形成部を有している。画像形成装置本体５８には、画像形成部に記録媒体を供給する記録媒体用給紙装置５４及び記録媒体を手差し供給する手差し給紙装置５２が装着されている。なお、給紙は手差し給紙に限らず、原稿を供給する原稿給紙装置５０も給紙を行うし、画像形成装置本体５８に接続される後処理装置５６にはすでに画像形成されている記録媒体が一旦後処理の順番待ちの為に留まり、その後、所定の後処理のために給紙が行われるし、合紙等の画像形成を必要としない記録媒体を供給する給紙装置本体１２などもあり、数種類の給紙装置で構成されている。
【００２３】
図２には、本実施形態に係る給紙装置本体１２の斜視図が示されている。
給紙装置１０は、給紙装置本体１２に対して複数装着され、本実施形態では、上段に備えられた上段給紙装置１０Ａと、上段給紙装置１０Ａの下段に備えられた下段給紙装置１０Ｂとが備えられている。上段給紙装置１０Ａと下段給紙装置１０Ｂは、略鉛直に備えられ、それぞれ複数枚の記録媒体を載置するように構成されている。上段給紙装置１０Ａと下段給紙装置１０Ｂは、同じ構成のため以下、給紙装置１０として説明する。
【００２４】
図３には、本実施形態に係る給紙装置本体１２の概略構成図が示されている。
【００２５】
給紙装置１０は、記録媒体を載置する載置部１４と、載置部１４の記録媒体搬送方向先端から載置部１４に対して略垂直に立ち上がって設けられた立上がり壁１５と、立上がり壁１５の上方に設けられた搬送部材としてのナジャーロール１６と、ナジャーロール１６の記録媒体搬送方向下流側に設けられた、搬送部材としてのフィードロール１８と、フィードロール１８に対向して設けられた搬送部材としてのリタードロール２０と、から構成される。
【００２６】
ナジャーロール１６は、載置部１４上の記録媒体を１枚ずつ取り出して給紙装置本体１２内へ搬送する。フィードロール１８は、ナジャーロール１６によって供給される記録媒体をさらに下流側に向けて搬送する。リタードロール２０は、フィードロール１８と接触してナジャーロール１６により供給される記録媒体を一枚ずつ捌く。
【００２７】
すなわち、載置部１４に載置された記録媒体をナジャーロール１６の回転により取り出し、さらにフィードロール１８とリタードロール２０との回転により、搬送路２２に向けて搬送され、後処理装置５６に搬送される。
【００２８】
図４には、載置部１４の詳細が示されている。図５は、載置部１４を示す斜視図であって、（Ａ）は、開閉部２４が閉鎖された状態を示し、（Ｂ）は、開閉部２４が開口された状態を示す。なお、図５では、開閉部２４周辺の説明の為、ガイド部材２６，２６を省略して示している。
【００２９】
載置部１４の記録媒体を載置する載置面の記録媒体搬送方向上流側の端部の略中央には凹部３４が形成されている。また、載置部１４には、記録媒体搬送方向上流側に延びる延長台３６が設けられ、記録媒体搬送方向に長い記録媒体であっても載置されるように構成されている。延長台３６は、記録媒体が載置部１４上で収まるときには、載置部１４内に収納されるようになっている。
【００３０】
また、載置部１４の載置面には、載置部１４に載置された記録媒体を搬送方向に導く記録媒体案内部材としてのガイド部材２６，２６が設けられている。ガイド部材２６，２６は、記録媒体の搬送方向に対して垂直方向の幅に応じて、記録媒体の中央を保持した状態で同時に移動される。記録媒体は、このガイド部材２６，２６に案内されて、幅方向を揃えた状態で搬送路２２に向けて搬送される。
【００３１】
また、載置部１４には、載置部１４に載置された記録媒体を検知する記録媒体検知手段としての検知センサ３７が設けられている。すなわち、載置部１４に記録媒体が載置されると、検知センサ３７が記録媒体を検知して、載置部１４がナジャーロール１６によって記録媒体が搬送される位置へ上昇して移動され、搬送が開始される。
【００３２】
なお、立上がり壁１５は、載置部１４に対して略垂直に限らず、リタードロール２０側へ傾斜して設けてもよい。
【００３３】
立上がり壁１５の略中央には、開口部３８が形成されている。開口部３８には、開口部３８を開閉自在にする開閉部２４が設けられている。
【００３４】
開閉部２４は、立上がり壁１５の下方に設けられた軸４０を中心として回転可能に可倒されるように支持されている。また、開閉部２４と立上がり壁１５は、例えば戻しばね等の付勢部４２で付勢され、開閉部２４は、開口部３８を閉鎖する方向に付勢されている。すなわち、開閉部２４は、立上がり壁１５と同位置から付勢力に抗して載置部１４側に可倒されるように構成されている。また、開閉部２４の操作部側の上端には、人間の指が挿入できる大きさの半円形状の溝４４が形成されている。
【００３５】
開閉部２４側の開閉部２４と立上がり壁１５の境界には、立上がり壁１５側に突出した凸部４５ａ，４５ａが形成され、立上がり壁１５側の境界には、載置部１４側に凹んだ凹部４５ｂ，４５ｂが形成され、凸部４５ａが凹部４５ｂと係合されて、開閉部２４が立上がり壁１５よりも反載置部側に可倒するのが防止される。したがって、本実施例では開閉部２４は外部から付勢を与えなければ、立上がり壁１５と同一面が確保され、載置部１４に積載された記録媒体の端面を揃える機能を果たしている。
【００３６】
したがって、開閉部２４は、通常は立上がり壁１５に対して閉鎖した位置（通常位置）にあり、ナジャーロール１６、フィードロール１８、リタードロール２０等の搬送部材の交換を要する場合等には、溝４４に指を挿入して、開閉部２４を付勢力に抗して載置部１４側へ可倒させることで、開閉部２４が開口される位置に配置され（交換位置）、開口部３８を介して載置部１４側から搬送部材が交換される。すなわち、給紙装置１０が略鉛直方向に複数設けられた構成であっても他の部材（ユニット）を取り外すことなく搬送部材が交換される。
【００３７】
なお、本実施形態においては、開閉部２４の上端に人間の指が挿入できる半円形状の溝４４が形成された例について説明したがこれに限らず、指が挿入できる形状であればよく、三角形状や四角形状の溝であってもよく、孔であってもよい。加えて、可倒を防止する凸部４５ａ、凹部４５ｂの配置や形状も限定の限りではない。
【００３８】
また、立上がり壁１５と開閉部２４の上端は、Ｒ状に形成され、記録媒体が速やかに搬送される。なお、立上がり壁１５と開閉部２４の上端は、Ｒ状に限らず、傾斜面にしてもよい。
【００３９】
なお、本実施形態においては、付勢部４２を用いて開閉部２４を載置部１４側に可倒して開閉する構成について説明したが、これに限らず、開閉部２４を横方向にスライドして開閉するようにしてもよく、開閉部２４を立上がり壁１５から脱着するようにしてもよい。
【００４０】
図６は、本実施形態に係る給紙装置１０の斜視図を示し、下段給紙装置１０Ｂの搬送部材を交換する際の様子を示す。図７は、図６の搬送部材周辺を示す拡大図である。また、図８は、各搬送部材の長さと開閉部２４との関係を示す図である。なお、図６では、説明のため、手前側のガイド部材２６を２点鎖線で示し、検知センサ３７を省略している。
【００４１】
ナジャーロール１６は、トルクリミッタ１７に連結され、支持軸１６ａを介して軸受け４６に支持されている。フィードロール１８は、支持軸１８ａを介して軸受け４８に支持されている。リタードロール２０は、支持軸２０ａを介して軸受け４７に支持されている。
【００４２】
本実施形態においては、ナジャーロール１６、フィードロール１８及びリタードロール２０は、各々支持軸１６ａ、支持軸１８ａ、支持軸２０ａの両側の端面を指で掴むことで全長が縮められ、軸受けより着脱出来る構造である。
【００４３】
開閉部２４の開口長は、ナジャーロール１６、フィードロール１８及びリタードロール２０の軸方向の最長ロール長さより大きく開口して形成され、ナジャーロール１６、フィードロール１８及びリタードロール２０の軸方向の最長ロール長さに指で掴むための作業長さ分を加えた長さが好ましい。すなわち、開口部３８が、搬送部材の軸方向の最長ロール長さに作業長さを加えた分開口しており、搬送部材の脱着作業が行いやすくなる。本実施形態において上述の着脱方法で説明したが、止め輪を使用するなど、異なったロールの支持方法でも着脱のための作業を行える長さであることは言うまでもない。
【００４４】
軸受け４６には、鉛直方向下向きの切欠き４６ａが形成され、この切欠き４６ａを介してナジャーロール１６が脱着される。また、軸受け４７には、載置部１４と略水平方向よりも上向きの切欠き４７ａが形成され、この切欠き４７ａを介してリタードロール２０が脱着される。また、軸受け４８には、鉛直方向下向きよりも載置部１４側に傾いて形成された切欠き４８ａが形成され、この切欠き４８ａを介してフィードロール１８が脱着される。
【００４５】
図９には、搬送部材の取り出しを説明する図が示されている。
まず、開閉部２４を付勢力に抗して載置部１４側に可倒して、ナジャーロール１６を軸受け４６から取り外す（図９（ａ）（ｂ））。次に、リタードロール２０を軸受け４７から取り外す（図９（ｂ）（ｃ））。次に、フィードロール１８を軸受け４８から取り外す（図９（ｃ）（ｄ））。
【００４６】
上述した搬送部材の装着は、上述した取り外しの作業と逆の順序で行う。
【００４７】
本実施形態に係る給紙装置によれば、載置部や他のユニットを取り外すことなく、装置本体内部に配置された搬送部材を脱着することができ、メンテナンス作業を行える。
【００４８】
上記実施形態で説明した記録媒体として、画像形成する用紙の他、画像形成された原稿等が適用される。
また、上記実施形態で説明した給紙装置として、用紙供給装置や原稿送り装置（原稿給紙装置）が適用され、複写機、後処理装置、ファクシミリ装置、プリンタ等の画像形成装置や画像形成装置の手差しトレイ（手差し給紙装置）等にも適用される。
【符号の説明】
【００４９】
１０・・・給紙装置
１２・・・給紙装置本体
１４・・・載置部
１５・・・立上がり壁
１６・・・ナジャーロール
１８・・・フィードロール
２０・・・リタードロール
２２・・・搬送路
２４・・・開閉部
３８・・・開口部
４２・・・付勢部
４４・・・溝
５０・・・原稿給紙装置
５２・・・手差し給紙装置
５４・・・記録媒体用給紙装置
５６・・・後処理装置
５８・・・画像形成装置本体
１００・・画像形成装置
【図１】
2016094260.tif 000003
【図２】
2016094260.tif 000004
【図３】
2016094260.tif 000005
【図４】
2016094260.tif 000006
【図５】
2016094260.tif 000007
【図６】
2016094260.tif 000008
【図７】
2016094260.tif 000009
【図８】
2016094260.tif 000010
【図９】
2016094260.tif 000011